(57)【要約】抄紙機の乾燥機部で使用可能な、抄紙機の布（１０）は機械に直交する方向（ＣＤ）の糸（２１−３２）の第一層（１４）と第二層（１６）を有する。二重織でＣＤ糸と織り合わされるのはＭＤ糸（４１−５２）のシステムである。ＭＤ糸は少なくとも二つの隣接したＭＤ糸のグループで提供される。各グループは一つの第一ＭＤ糸（４１，４４，４７，５０）と一つ又はそれ以上の第二ＭＤ糸を有している。第一ＭＤ糸はＣＤ糸の第一と第二層の間を織り合わせて、それぞれ唯一つのＣＤ糸と結び付いている。各第二ＭＤ糸も又ＣＤ糸の第一と第二層の間を織り合わせて、それぞれは第一層では唯一つのＣＤ糸と結び付いているが、第二層では少なくとも二つのＣＤ糸の上をフロートしている。第一ＭＤ糸はそのグループ及び隣接するグループのそれの中で一つ又はそれ以上の第二ＭＤ糸の間にあって、布の表面上に連続した空気の流路（６０）を規定する。
2006505714.tif 000002
【特許請求の範囲】
【請求項１】
機械に直交する方向（ＣＤ）の糸の第一層と第二層；及び
機械方向（ＭＤ）の糸のシステム、前記ＭＤ糸は少なくとも二つの隣接ＭＤ糸のグループになっており、各前記グループが一つの第一ＭＤ糸と少なくとも一つの第二ＭＤ糸を有している；より成っている抄紙機の布において；
各前記グループにおける前記第一ＭＤ糸が前記第一と第二層の前記ＣＤ糸と二重織で織り合わされ、前記第一ＭＤ糸はそれと織り合わせの時に前記第一層の唯一つのＣＤ糸と及び前記第二層の唯一つのＣＤ糸と結び付いており；
各前記グループにおける前記第二ＭＤ糸も又前記第一と第二層の前記ＣＤ糸と二重織で織り合わされ、前記第二ＭＤ糸はそれと織り合わせの時前記第一層の一つのＣＤ糸とだけ結び付き又それと織り合わせの時前記第二層の少なくとも二つの連続したＣＤ糸の上をフロートしており；そして
各前記グループにおける前記第一ＭＤ糸はそれの前記少なくとも一つの第二ＭＤ糸と隣接グループの第二ＭＤ糸との間にあり、
それにより連続した空気流路が前記第二ＭＤ糸の間の前記第一ＭＤ糸により布の裏側に形成されることを特徴とする上記抄紙機の布。
【請求項２】
前記少なくとも一つの第二ＭＤ糸は二つの第二ＭＤ糸であって、前記二つの第二ＭＤ糸が前記第一と第二層の前記ＣＤ糸と一つの糸のように一緒に織り合わされている双子のペアである、請求項１に記載の抄紙機の布。
【請求項３】
前記ＭＤ糸が実質上長方形の断面形状の平らな単繊維糸である、請求項１に記載の抄紙機の布。
【請求項４】
前記ＭＤ糸が円くない断面形状を有している単繊維糸である、請求項１に記載の抄紙機の布。
【請求項５】
前記ＭＤ糸の少なくとも幾らかがポリアミド糸、ポリエステル糸、ポリフェニレンスルフィド糸、修正された熱−、加水分解−及び汚染物質−耐性のポリエステル糸、ポリ（シクロヘキサンジメチレンテレフタレートイソフタレート）糸、及びポリエーテルエーテルケトン糸の一つである、請求項１に記載の抄紙機の布。
【請求項６】
前記ＣＤ糸が円形断面形状の単繊維糸である、請求項１に記載の抄紙機の布。
【請求項７】
前記第二層の前記ＣＤ糸の幾らかが前記第一と第二層の前記ＣＤ糸の残りよりも大きな直径のものである、請求項６に記載の抄紙機の布。
【請求項８】
前記ＣＤ糸の少なくとも幾らかがポリアミド糸、ポリエステル糸、ポリフェニレンスルフィド糸、修正された熱−、加水分解−及び汚染物質−耐性のポリエステル糸、ポリ（シクロヘキサンジメチレンテレフタレートイソフタレート）糸、及びポリエーテルエーテルケトン糸である、請求項６に記載の抄紙機の布。
【請求項９】
前記第一層の前記ＣＤ糸がそれに関して垂直に積み重ならないように前記第二層の前記ＣＤ糸に関して機械方向に分枝される、請求項１に記載の抄紙機の布。
【請求項１０】
各前記グループにおける前記第二ＭＤ糸がそれとの織り合わせの時前記第二層の四つの連続したＣＤ糸の上をフロートする、請求項１に記載の抄紙機の布。
【請求項１１】
前記ＣＤ糸の少なくとも幾らかが円くない断面形状の単繊維糸である、請求項１に記載の抄紙機の布。
【請求項１２】
多数の機械に直交する方向（ＣＤ）の糸；及び
多数の機械方向（ＭＤ）の糸より成っていて、
前記ＭＤ糸と前記ＣＤ糸が前記布の裏側の上に多数の連続した空気流路を形成するように予め決められた方法で配列される、抄紙機の布。
【発明の詳細な説明】
【技術分野】
【０００１】
本発明は抄紙技術に関する。より詳しくは、本発明は単一走行乾燥機部のような、抄紙機の乾燥機部で使用される抄紙機の又は乾燥機の布である。
【背景技術】
【０００２】
抄紙工程の中で、繊維質巻取り紙は抄紙機の形成部における形成布の上に繊維質スラリーを沈殿させることにより形成される。多量の水がそこの表面上に繊維質巻取り紙を残しながら、形成布を通してスラリーから排出される。
【０００３】
新しく形成された巻取り紙は形成部から一連のプレスニップを含むプレス部に進む。繊維質巻取り紙は一つのプレス布により、又は多くの場合二つのプレス布の間に支持されてプレスニップを通過する。プレスニップでは、繊維質巻取り紙はそこから水を絞り出す圧縮力を受ける。水はプレス布によって受容れられ、且つ理想的には、紙シートには戻らない。
【０００４】
今や紙シートとして、巻取り紙は最後には蒸気により内部から加熱された少なくとも一連の回転可能な乾燥機ドラム又はシリンダーを含む乾燥機部に進む。紙シートはドラムの表面に対して紙シートを密着保持する一つ又はそれ以上の乾燥機布によりドラムの列の各々の周りを連続して蛇行する通路に案内される。加熱されたドラムは蒸発によって望ましいレベルにまで紙シートの含水量を減少させる。
【０００５】
乾燥機部では、乾燥機シリンダーは上部と下部の列又は段に配列される。下段にあるそれらは正確に垂直な関係にあるよりも寧ろ、上段に関して互い違いに配列されるのが良い。シートが乾燥機部を通って進む時には、それが先ず二つの段の一つにある乾燥機シリンダーの周りを通過し、そこで他の段にある乾燥機シリンダーの周りのように上下の段の間を交互に通過する、等々続いて乾燥機部を通る。
【０００６】
図５で示されるように、乾燥機部では、乾燥機シリンダーの上と下の段は各別々の乾燥機布９９が着せられる。斯かる情況で、乾燥されている紙シート９８は各乾燥機シリンダーと他の段にある次の乾燥機シリンダーの間の空間、即ち“ポケット”、を横切って支持無しで通過する。
【０００７】
単一段の乾燥機部では、多くの回転ローラーと一緒に単一列のシリンダーが使用される。回転ローラーは固体か又は通気孔が付けられている。
【０００８】
生産率を増加させ且つシートへの擾乱を最少にするため、単一走行乾燥機部は乾燥されているシートを輸送するのに高速度が使用される。単一走行乾燥機部では、図６で示されるように、紙シート１９８は上部と下部の段における乾燥機シリンダー２００の周りを次々に蛇行している通路に従って単一の乾燥機布１９９の使用により輸送される。
【０００９】
単一走行乾燥機部では、乾燥機布は二つの段の一つ、代表的には上段、における乾燥機シリンダーに対して直接に乾燥されている紙シートを保持しているが、下段における乾燥機シリンダーの周りにはそれを運ぶだけであることは認識されるであろう。布の帰りの走行は上部乾燥機シリンダーの上である。他方、ある種の単一走行乾燥機部は乾燥機布が下段における乾燥機シリンダーに対して直接に紙シートを保持しているが、上部シリンダーの周りにはそれを運ぶだけと云う反対の配置を持っている。この場合、布の帰りの走行は下段のシリンダーの下である。何れの場合も、圧縮楔は動いている乾燥機布が乾燥機シリンダーに接近する狭くなっている空間で動いている乾燥機布の裏側表面に沿って運ばれる空気によって形成される。その結果は乾燥機布を通って外側に空気を流出させる圧縮楔中の空気圧を増加させる。続いて、この空気の流れは乾燥機布の表面から紙シートを離れさせる、“ドロップオフ”として知られる現象を引き起こす。“ドロップオフ”は縁のひび割れを引き起こすことにより製造されている紙製品の品質を低下させ得る。“ドロップオフ”は又もしそれがシートの破れを導くならば機械効率も低下させる。
【特許文献１】米国特許第５１６９４９９号明細書
【発明の開示】
【発明が解決しようとする課題】
【００１０】
多くの製紙工場が下方の段の乾燥機シリンダー及び／又はローラーの中に溝を機械加工することにより又は乾燥機のローラーに真空源を付加することによりこの問題に取り組んだ。これらの手段の両方共に圧縮楔に閉じ込められた空気を違った方法で乾燥機布を通過せずに取り除くことを可能にしたけれども、両方共に高価である。
【００１１】
本発明は、それが巻取り紙と接触するようにならない表面上に、即ち、裏側表面上に隙間容積を有している乾燥機布の形成でこの問題に対する解決を与える。その隙間容積は圧縮楔の中に運ばれた空気が布を通る以外に行くべきどこかを与える。
【００１２】
従って、それは抄紙機の形成、プレス及び乾燥機部のどれにも応用が見付かるかも知れないけれども、本発明は乾燥機布である。
【課題を解決するための手段】
【００１３】
抄紙機の布は機械に直交する方向（ＣＤ）糸の第一層と第二層を含んでいる。ＣＤ糸と織り合わされるのは機械方向（ＭＤ）糸のシステムである。
【００１４】
ＭＤ糸は少なくとも二つの隣接したＭＤ糸のグループで与えられる。各グループは第一ＭＤ糸と少なくとも一つの第二ＭＤ糸を持つ。
【００１５】
各グループの第一ＭＤ糸は二重織で第一と第二層のＣＤ糸と織り合わされ、その織り合わせの時第一層の唯一つのＣＤ糸及び第二層の唯一つのＣＤ糸と結び付いている。
【００１６】
各グループの第二ＭＤ糸も又二重織で第一と第二層のＣＤ糸と織り合わされる。グループが一つ以上の第二ＭＤ糸を含んでいる時、それらは一つの糸として一緒にＣＤ糸と織り込む。第二ＭＤ糸はそれと織り合わせの時第一層の唯一つのＣＤ糸と結び付くが、それと織り合わせの時第二層の少なくとも二つの連続したＣＤ糸の上をフロートする。
【００１７】
各グループにおける第一ＭＤ糸は同じグループ内の一つ又はそれ以上の第二ＭＤ糸と隣接グループの第二ＭＤ糸との間にある。こうして、第一ＭＤ糸はそれらにより分離された第二ＭＤ糸の間に連続した空気流路を形成する。
【発明を実施するための最良の形態】
【００１８】
布はエンドレスの形で乾燥機部に配置され、それ故に連続した空気の流路がそこの内側、即ち裏側、表面に定住する。連続した空気の流路は布が乾燥機部で単一走行乾燥機部のように使用される時、布と乾燥機シリンダーの間に形成される圧縮楔の中に運ばれる空気のための隙間容積を提供する。
【００１９】
本発明は今、以下で確認される図面を屡々参照しながらより完全な詳細が述べられるであろう。
【実施例】
【００２０】
扨これらの図を参照すると、図１は本発明の抄紙機の布１０の裏側表面１２の計画図である。図１では、機械方向（ＭＤ）と機械に直交する方向（ＣＤ）は図示されたとおりである。本図及び他の図における抄紙機の布１０の糸の間の間隔は明確のために誇張されている。図１は互いに並んだ織パターンの二つの繰り返しを示している。
【００２１】
図３Ａは図１における線３−３により指示されたようにとられた断面図である。布１０がＣＤ糸の二つの層を含んでいることが観察されるであろう。布１０が平織であって且つ続いて継ぎ目付きのエンドレスの形に連結される時、布１０が生産される工程ではＣＤ糸は横糸である。ＣＤ糸の第一層１４はＣＤ糸２１，２３，２５，２７，２９，３１を含み、一方ＣＤ糸の第二層１６はＣＤ糸２２，２４，２６，２８，３０，３２を含む。図１と３Ａで明らかなように、二つの層１４，１６におけるＣＤ糸は垂直に積み上げられた位置にはない。寧ろこれらは布１０の機械方向に互いに交互になっている、それ故両層共に図１で表された図では視ることが出来る。現実には、第一層１４のＣＤ糸２１，２３，２５，２７，２９，３１は糸の間の間隔が全く小さいので実際の布１０の裏側表面１２上では辛うじて視ることが出来るかも知れない。
【００２２】
扨図１に立ち返ると、布が織られる工程では縦糸である、ＭＤ糸４１−５２は実質的に長方形の断面を有している平らな単繊維糸である。ＭＤ糸４１−５２の断面形状は図１の線４−４により指示されたような横糸方向にとられた断面図、図４で示されている。
【００２３】
ＭＤ糸４１−５２は二つのＭＤ糸が対を成して一つとしてＣＤ糸２１−３２と織るような三つのグループに配列される。詳細には、ＭＤ糸４２，４３；ＭＤ糸４５，４６；ＭＤ糸４８，４９；及びＭＤ糸５１，５２は双子のペアであり、それはＭＤ糸４１，４４，４７，５０によってそれに隣接するものから分離されている。これら後者のＭＤ糸４１，４４，４７，５０は以下に述べる手段で布１０の裏側表面１２上に連続した空気の流路６０を規定する。
【００２４】
双子のＭＤ糸のペアは布１０の裏側表面１２上に長いフロートを形成する。詳細には、ＭＤ糸４２，４３は織パターンの各繰り返しでＣＤ糸２１と２２の下、ＣＤ糸２３−３１の上、及びＣＤ糸３２の下を織り込んで、それによりＭＤ糸４２，４３は布１０の裏側表面１２上の第二層１６の四つの連続したＣＤ糸２４，２６，２８，３０の上をフロートする。ＭＤ糸４８，４９はＭＤ糸４２，４３と同じ手法で織り込む。
【００２５】
同様に、ＭＤ糸４５，４６は織パターンの各繰り返しでＣＤ糸２１−２５の上、ＣＤ糸２６−２８の下、及びＣＤ糸２９−３２の上を織り込んで、それによりＭＤ糸４５，４６は布１０の裏側表面１２上の第二層１６の四つの連続したＣＤ糸３０，３２，２２，２４の上をフロートする。ＭＤ糸５１，５２はＭＤ糸４５，４６と同じ手法で織り込む。ＭＤ糸４５，４６及びＭＤ糸５１，５２により形成されたフロートはＭＤ糸４２，４３及びＭＤ糸４８，４９により形成されたそれらから六つのＣＤ糸によって機械方向に分枝させられる。
【００２６】
双子のＭＤ糸のペアをお互いから分離させる、ＭＤ糸４１，４４，４７，５０は繰り返しパターンで三つのＣＤ糸の上と続く三つのＣＤ糸の下を織り込む。詳細には、ＭＤ糸４１，４７は織パターンの各繰り返しでＣＤ糸２１，２２，２３の上、ＣＤ糸２４，２５，２６の下、ＣＤ糸２７，２８，２９の上、及びＣＤ糸３０，３１，３２の下を織り込む。他方、ＭＤ糸４４，５０はＣＤ糸２１の上、ＣＤ糸２２，２３，２４の下、ＣＤ糸２５，２６，２７の上、ＣＤ糸２８，２９，３０の下、及びＣＤ糸３１，３２の上を織り込む。斯くの如く、ＭＤ糸４４，５０はＭＤ糸４１，４７が二つのＣＤ糸により織り合わされるような方法から機械方向に分枝させられる方法でＣＤ糸を織り込む。
【００２７】
図１と３Ａを詳しく参照すると、ＭＤ糸４１、及び同じ方法で織り込むＭＤ糸４７、が布１０の裏側表面１２上に長いフロートを持たないことは気づかれるであろう。その代わり、ＭＤ糸４１，４７は第二層１６のＣＤ糸２２，２８だけの上を織り込んで、且つ裏側表面１２に関してＣＤ糸２２，２８を内側に引き込む傾向がある、それ故ＣＤ糸２２，２８を織り込む時にＭＤ糸４１，４７によって形成される節はＭＤ糸４２，４３；４５，４６；４８，４９；及び５０，５１により形成されたフロートの内側にある。結果として、ＭＤ糸４１，４７は布１０の裏側表面１２上の加熱と摩滅から保護されている。
【００２８】
同様に、ＭＤ糸４４、及び同じ方法で織り込むＭＤ糸５０、も又布１０の裏側表面１２上に長いフロートを持っていない。その代わり、ＭＤ糸４４，５０は第二層１６のＣＤ糸２６，３２だけの上を織り込んで、且つ裏側表面１２に関してＣＤ糸２６，３２を内側に引き込む傾向がある、それ故ＣＤ糸２６，３２を織り込む時にＭＤ糸４４，５０によって形成される節も又ＭＤ糸４２，４３；４５，４６；４８，４９；及び５０，５１により形成されたフロートの内側にある。結果として、ＭＤ糸４４，５０も又布１０の裏側表面１２上の加熱と摩滅から保護されている。
【００２９】
ＭＤ糸４１，４７がＣＤ糸２２，２８の上を織り込む時、及びＭＤ糸４４，５０がＣＤ糸２６，３２の上を織り込む時に形成される節はＭＤ糸４２，４３；４５，４６；４８，４９；及び５０，５１により形成される長いフロートの内側にあるから、ＭＤ糸４１，４４，４７，５０はこれら双子ペアの間に連続した空気の流路６０を規定する。連続した空気の流路６０は単一走行乾燥機部のような乾燥機部における“ドロップオフ”の問題に解決を与える。機械方向に定位された、連続した空気の流路６０は溝の付けられた乾燥機ローラーにより行われたのと同じ機能を実行する。即ち、それらは圧縮楔の中に運ばれて閉じ込められた空気用の容積を提供し、それによりそれが“ドロップオフ”を引き起こすかも知れない、すべて布１０を通って押し出されるべき空気の傾向を軽減させている。連続した空気の流路６０により提供された隙間の容積は、織られた及び螺旋で繋がった両方の、他の乾燥機布構造におけるそれとは違っている、何故ならば隙間容積は連続的であるから。大部分の乾燥機布は幾許の隙間容積を持っている、然し一般的に隙間容積は離散的な不連続の穴又は布の中の開口で与えられる。本発明では、隙間容積は機械方向のような、予め決められた方向に連続的である。
【００３０】
図２は布１０の紙に接触している表面１８の計画図であり、且つ図１の裏返しである。図２と３ＡはＭＤ糸４１−５２がそれらが第一層１４に織り込むごとに第一層１４の単一のＣＤ糸２１，２３，２５，２７，２９，３１と結び付くことをまとめて示している。詳しくは、ＭＤ糸４１，４７はそれらが織パターンの各繰り返しで二回第一層１４に織り込む時にＣＤ糸２５，３１と結び付く。同様に、ＭＤ糸４４，５０はそれらが織パターンの各繰り返しで二回第一層１４に織り込む時にＣＤ糸２３，２９と結び付く。他方、ＭＤ糸の双子のペア４２，４３；４８，４９はそれらが織パターンの各繰り返しで一度第一層１４に織り込む時にＣＤ糸２１と結び付く、一方ＭＤ糸の双子のペア４５，４５；５１，５２はそれらが織パターンの各繰り返しで一度第一層１４に織り込む時にＣＤ糸２７と結び付く。結論として、ＣＤ糸２１，２３，２５，２７，２９，３１は布の紙に接触している表面１８の面積の大部分を作り上げる、その表面１８はシュートランナー（横糸滑走）表面として適切に記述される。現実には、第二層１６のＣＤ糸２２，２４，２６，２８，３０，３２は糸の間の間隔が全く小さいので実際の布１０の紙に接触している表面１８上では辛うじて視ることが出来る。いずれにせよ、布１０の紙に接触している表面１８のＣＤ糸を支配している性質がＭＤ糸４１−５２を加熱と摩滅から保護している。
【００３１】
前述した配列への代案として、ＣＤとＭＤ糸はＣＤとＭＤ糸が共に紙と接触している表面を形成する所謂単葉表面を形成するように配列されることが出来る。斯かる単葉表面配列は空気の流路には影響しないであろう。
【００３２】
布１０はなるべくなら単繊維糸だけで成るのが良い。詳しくは、ＣＤ糸は抗汚染物質ポリエステル単繊維であるのが良い。斯かる抗汚染物質は標準ポリエステルよりもより変形可能であっても良く、結果として、より変形できない糸と比較すると相対的に低い透過率（１００ＣＦＭのような）を持つような布を容易に織ることが出来る。ＣＤ糸は一つ又はそれ以上の違った直径を持つ円形断面形状を持っても良い。例えば、ＣＤ糸２４，３０は０．９０ｍｍの直径を持つ一方ＣＤ糸２１−２３，２５−２９，３１，３２は０．５０ｍｍ又は０．６０ｍｍの直径を持っても良い。即ち、図１，２，３Ａ及び４で暗示したように、ＣＤ糸２４，３０は他のＣＤ糸２１−２３，２５−２９，３１，３２よりも大きな直径であっても良い。第一層１４のＣＤ糸２１，２７を上から又は下まで織っている時に双子ペアのＭＤ糸４２，４３；４５，４６；４８，４９及び５１，５２はＣＤ糸２４，３０の上を織り込むから、ＣＤ糸２４，３０の大きな直径は連続した空気の流路６０に付加的な深さを与える。代案として、又図３Ｂで示されるように、ＣＤ糸のすべて（即ちＣＤ糸２１−３２）が各０．８０ｍｍのような同じ直径を持っても良い。ＭＤ糸４１−５２は実質上長方形の断面形状の平らな単繊維糸であって良い。例えば、ＭＤ糸４１−５２は図４で示されるように長辺が裏側表面の平面に平行に横たわる、０．４４ｍｍ掛ける０．８８ｍｍ寸法の実質上長方形の断面を持っても良い。
【００３３】
布１０は６ハーネス（縦糸の通糸）の繰り返しで織られても良いけれども、代わりの実施例では、それは図面で示されるＭＤ糸の双子のペアの代わりにより大きな幅の単一のＭＤ糸を用いて４ハーネスの繰り返しで織られても良い。
【００３４】
ＣＤ糸２１−３２は抄紙機織物用の斯かる糸の生産に使用されるどんな合成重合体樹脂の円形断面の単繊維糸であっても良い。ポリエステルとポリアミドは斯かる材料のほんの二つの例である。斯かる材料のその他の例は登録商標ＲＹＴＯＮの名の下で商業的に利用可能なポリフェニレンスルフィド（ＰＰＳ）、及び一般に譲渡された米国特許第５１６９４９９号で開示され、又登録商標ＴＨＥＲＭＯＮＥＴＩＣＳの下でアルバニインターナショナル社により発売され乾燥機布に使用される、修正された熱−、加水分解−及び汚染物質−に耐性のあるポリエステルの品種である。斯かる繊維は隠れたカルボキシル基を持ち又テレフタール酸、１，４−ジメチロールシクロヘキサン及びイソフタール酸の共重合体である。米国特許第５１６９４９９号の教示はここで参照文献に組み込まれている。更に、ポリ（シクロヘキサンジメチレンテレフタレートイソフタレート）（ＰＣＴＡ）、ポリエーテルエーテルケトン（ＰＥＥＫ）及びその他のような材料も又使用され得る。
【００３５】
更に、円形断面形状に加えて、一つ又はそれ以上のＣＤ糸が長方形断面形状又は円くない断面形状を持っても良い。
【００３６】
前に指示した如く、ＭＤ糸４１−５２は実質上長方形の断面形状の平らな単繊維糸であっても良い。代案として、どんな又はすべての斯かるＭＤ糸が円形断面形状又は円くない断面形状のような他の断面形状を持っても良い。更に、ＭＤ糸４１−５２は抄紙機織物用糸の生産に使用されるどんな合成重合体樹脂であっても良い。ポリエステルとポリアミドは上に開示した他の材料と共に、ほんの二つの例である。
【００３７】
布１０は単一走行又は単一段の乾燥機部で使用される。代案として、布１０は図５で示されるような、他のタイプの乾燥機部で使用されても良い。斯かる情況では、布９９が布１０と置換されるであろうことは認識されるはずである。
【００３８】
上記に対する修正は当業者にとっては明白であろう、然し本発明の範囲を越えて修正された発明をもたらすことは無いであろう。例えば、布１０が平織であって、且つ抄紙機の乾燥機部で使用するためエンドレスの形に連結されねばならない一方、ＭＤ糸４１−５２が織工程の間横糸になり又ＣＤ糸２１−３２が縦糸になる場合のような、エンドレス織により布１０を生産することも又可能である。続く請求項は斯かる情況をカバーするものと解釈されるべきである。
【図面の簡単な説明】
【００３９】
【図１】本発明の一実施例に従う抄紙機の布の裏側表面の平面図である。
【図２】図１の抄紙機の布の紙に接触している表面の平面図である。
【図３】Ａは図１の線３−３により指示されたような縦糸方向にとられた断面図であり、Ｂは本発明のもう一つの実施例に従う抄紙機の布の断面図である。
【図４】図１の線４−４により指示されたような横糸方向にとられた断面図である。
【図５】抄紙機部の断面図である。
【図６】単一走行乾燥機部の断面図である。
【符号の説明】
【００４０】
１０      布
１２      裏側表面
１８      表面
２１−３２      ＣＤ糸
４１−５２      ＭＤ糸
６０      流路
９８      紙シート
９９      乾燥機布
２００      乾燥機シリンダー
【図１】
2006505714.tif 000003
【図２】
2006505714.tif 000004
【図３】
2006505714.tif 000005
【図４】
2006505714.tif 000006
【図５】
2006505714.tif 000007
【図６】
2006505714.tif 000008
【国際調査報告】
2006505714.tif 000009
2006505714.tif 000010